(57)【要約】      （修正有）【課題】果樹棚で栽培される果実が台風等の強風に煽られて落果する被害を予防するため、軽量で迅速に、かつ容易に設置、撤収が可能な果樹棚補強用の補助支柱を提供すること。【解決手段】内パイプ（１）と外パイプ（２）からなり、内パイプ（１）と、外パイプ（２）とで入れ子式に構成され、軸方向へ伸縮自在かつ軸芯を略中心とする周方向へ回動可能な補助支柱（P）であって、内パイプ（１）の上端部（１０）に配置される受け部（３）と、外パイプ（２）の上端部（２０）近傍に配置される保持部（５）と、外パイプ（２）の下端部（２１）に配置され、棒状鋼材をコイル状に形成されてなるラセン杭（４）とを備え、強風に煽られて落果が懸念される果実（Fｄ）が実った枝（B）または果樹棚の構成部材であるX軸支線（６２）、Y軸支線（６３）などを受け部（３）で支持して台風被害を予防する。【選択図】図１
2014014342.tif 000002
【特許請求の範囲】
【請求項１】
内パイプ（１）と外パイプ（２）からなり、
前記内パイプ（１）と、
前記外パイプ（２）とで入れ子式に構成され、軸方向へ伸縮自在かつ軸芯を略中心とする周方向へ回動可能な補助支柱であって、
前記内パイプ（１）の上端部（１０）に配置される受け部（３）と、
前記外パイプ（２）の上端部（２０）近傍に配置される保持部（５）と、
前記外パイプ（２）の下端部（２１）に配置されるラセン杭（４）とを備え、
前記受け部（３）に果樹（Fｔ）の枝（B）または果樹棚の構成部材（Cｓ）を支持することを特徴とする補助支柱。
【請求項２】
前記枝受け部（３）の内側と、
前記枝（B）の外表面との間に保護材（ｐｔ）を介在させることを特徴とする請求項１記載の補助支柱。
【発明の詳細な説明】
【技術分野】
【０００１】
本発明は、果樹園において、肥培管理作業の効率を高めるため、梨、びわ、桃、林檎等の樹木および枝又は葡萄、キウイフルーツ等の蔓を金属パイプおよびワイヤー等により構成される果樹用の棚に沿わせて栽培される。これら果樹の果実が、台風が襲来する時期と粗同じ時期に肥大化し収穫期を迎える。このため大きく実った果実は、強風によって上下に揺らされて落果し、商品価値を著しく低下させる台風被害を抑制しようとするものに関する。
【背景技術】
【０００２】
従来から地上約１．５〜２．０メートルの適宜位置に略水平方向に誘引延伸させて栽培される果樹の枝或は蔓に垂下させて栽培される果実と、耕作地表面との間に肥培管理作業（トラクターによる耕運作業およびスピードスプレイヤーによる農薬の散布または自走式除草機および肥料或は収穫果実などの運搬車両の移動）を円滑に行なうのに必要とされる空間を確保するために形成される果樹棚がみられる。      （特許文献１および２）
【０００３】
〔特許文献１の技術〕
特許文献１には、地中に埋設されたアンカーに立設される固定支柱の頂部にワイヤーを戴置し、これら「ワイヤーを地上から任意の高さにかつ碁盤目状に架設される」技術が記載されている。
【０００４】
〔特許文献２の技術〕
特許文献２には、「アンカーポールに支持されるワイヤーで形成される果樹棚に果樹の枝或は蔓を懸架させて栽培される」技術が記載されている。
【０００５】
〔特許文献１の課題〕
果樹園を囲周するように立設される側柱および隅柱とワイヤーの垂下りを防ぐ中柱とで形成される果樹棚のワイヤーには常に大きな張力が作用している。
さらに、これらのワイヤーに支持される、梨、桃等の枝又は葡萄、キウイフルーツ等の蔓の重量と、収穫期を迎えたこれらの梨、桃等の枝および葡萄、キウイフルーツ等の蔓に実った果実の重量も加えられる。このためワイヤーには長時間大きな張力が作用しており、ワイヤーが金属疲労により延びて緩く架設された状態となっている。このため、これらのワイヤーに支持される果樹および枝又は蔓に実った果実は強風を受けた場合に落果が懸念される。          （課題１）
【０００６】
〔特許文献２の課題〕
第１図にみられる果樹（２）と支柱（５）との中間点付近および果樹（２）と支柱（１１）との中間点付近に位置する果樹の枝或は蔓および果実の質量によりワイヤー（８）は最も垂下量が大きくなっている。このため、これらの中間点付近に位置する果樹棚は、ハンモック状となっている。このような状態に果実の枝又は蔓に懸下されている果実は、台風などの強風に煽られた場合に大きく上下動させられ落果するという危険な状態に晒されている。          （課題２）
【０００７】
〔特許文献１および特許文献２の課題〕
また、上記のような危険な状態を回避するため、支柱間の距離を短くするため支柱を増設するという手段も選択肢に挙げられるが、地表面を掘り起こしアンカーとなる堅固な部材を埋設しこれらアンカーを基礎とする固定的な支柱を増設した場合に、これらの支柱が障害物となり、上述した肥培管理用の作業空間が不足し、肥培管理に支障をきたすという課題が発生する。          （課題３）
【０００８】
（課題１）を踏まえると、果樹棚を構成するワイヤーの弛みを補うような手段が求められている。          （ニーズ１）
【０００９】
（課題２）を踏まえると、支柱と支柱間に位置する果樹の枝或は蔓および果実の質量によりよる垂下とこれら果樹の枝或は蔓および果実が強風により上下動するのを抑制する手段が求められている。          （ニーズ２）
【００１０】
（課題３）を踏まえると、台風の接近し果樹棚への被害が予想される場合には迅速に対応でき、台風の警戒予報が解除されると肥培管理用の作業空間を早急に確保するため容易にかつ迅速に取り除ける支柱が求められている。          （ニーズ３）                                            
【先行技術文献】
【特許文献】
【００１１】
【特許文献１】特許公告公報（B2）平１―４９９９１
【００１２】
【特許文献２】特許公告公報（B2）平１―４３５３０
【発明の概要】
【発明が解決しようとする課題】
【００１３】
本発明の課題は、上記（課題１）および（課題２）と（課題３）を克服し（ニーズ１）〜（ニーズ３）に応えようとする手段は、軽量であって、しかも設置、撤収が簡単で利便性の良い果樹棚用の補助支柱を提供することにある。
【課題を解決するための手段】
【００１４】
上記課題を解決しようと以下の手段を用いた。
【００１５】
請求項１記載の発明は、内パイプ（１）と外パイプ（２）からなり、前記内パイプ（１）と、前記外パイプ（２）とで入れ子式に構成され、軸方向へ伸縮自在かつ軸芯を略中心とする周方向へ回動可能な果樹用の補助支柱において、前記内パイプ（１）の上端部（１０）に配置される受け部（３）と、前記外パイプ（２）の上端部（２０）に配置される保持部（５）と、前記外パイプ（２）の下端部（２１）に配置されるラセン杭（４）とを備え、前記受け部（３）に果樹（ｆｔ）の枝（B）または果樹棚の構成部材（Cｓ）を支持することを特徴とする。
【００１６】
請求項２記載の発明は、前記受け部（３）の内側と、枝（B）の表面との間に保護材（ｐｔ）を介在させることを特徴とする。
【発明の効果】
【００１７】
上記発明によれば、果樹用の棚を支える柱と柱の中間点付近の枝又は蔓に実った果実は、台風によって発生する果樹棚の浪打現象（果樹棚と果樹枝の上下動）による落果被害を受け易く、営農に大きな被害を与えている。
このような台風被害を防ぐため台風が到達する前に、上記中間点付近の枝或は蔓の浪打現象を抑えるための支柱として、簡単かつ迅速に設置でき、台風通過後、支柱が不要になった場合は容易に撤去できるため、上記作業用空間が確保される簡便な果樹棚用の補助支柱（P）が提供され、台風被害を抑制される。
【図面の簡単な説明】
【００１８】
【図１】本発明の補助支柱（P）を配置した形態の断面図である。
【図２（ａ）】補助支柱（P）の正面図である。
【図２（ｂ）】保持部（５）の拡大図である。
【図２（ｃ）】図２（ｂ）のA−A線に沿う断面図である。
【図３】受け部（３）が最大に開口した形態の断面図である。
【図４】受け部（３）の拡大断面図である。
【図５】受け部（３）に小径枝（B）を收縛した状態の断面図である。
【図６】補助支柱（P）が撤収され作業空間が形成された状態の断面図である。
【図７】補助支柱（P）により果樹棚の構成部材（Cｓ）が支持された状態の断面図。
【発明を実施するための形態】
【００１９】
以下本発明の補助支柱（P）の実施例図１〜図６を参照しながら説明する。
【００２０】
「補助支柱（P）の構成」
図１および図２ａにみられるように、内パイプ（１）の上端部（１０）に備える受け部（３）の内側に介装される保護材（ｐｔ）を介して果樹（ｆｔ）の枝（B）が收縛されている。
【００２１】
さらに図１および図２ａに示すように、外パイプ（２）の上端部（２０）に配設される保持部（５）により補助支柱（P）の軸方向への長さを所定の範囲内で自在に調節可能となっている。
【００２２】
この保持部（５）は図２ａおよび図２ｂにみられるように、外パイプ（２）の上端部（２０）から下方に向く切り欠き（５８）が形成されている。
【００２３】
そして、図２ａおよび図２ｂにみられるように、外パイプ（２）の上端部（２０）の外側に切り欠き（５８）の一部を除く全周囲を囲むようにバンド（５９）が装着される。このバンド（５９）の端面を外側に折り曲げられ、ボルト（５４）を挿通する貫通孔（５５ａ）、（５５ｂ）を有する座面（５４ａ）、（５４ｂ）が形成され、これら座面（５４ａ）および（５４ｂ）と当接するナット（５３）との当接部（５７）が形成されている。このナット（５３）は座面（５４ａ）に溶接固着される。
またこのボルト（５３）の対向部に形成される当接部（５７）から外方に向く所定部位をボルト（５４）が成す軸線に対し粗直角に折り曲げられ、レバー（５６）が形成される。
【００２４】
さらに図１および図２ａに示すように、外パイプ（２）の下端部（２１）にラセン杭（４）が固着される。
【００２５】
また図３にみられるように、内パイプ（１）の上端部（１０）に受け部（３）が固着されている。
【００２６】
この受け部（３）の内側には柔軟性に富み、枝（B）の表皮が損傷するのを防ぐ保護材（Pｔ）が配置されており枝（B）を包むように收縛保護される。
【００２７】
さらに図３にみられるように、内パイプ（１）の上端部（１０）に固着される支持腕（３０）の先端側に形成される二股状の支持部に有するピン孔に挿入される支持ピン（３２ａ）、支持ピン（３２ｂ）に支えられ、受け部（３）の開口部（３７）を開閉するように可動腕（３１ａ）、（３１ｂ）が装着される。
【００２８】
そして内パイプ（１）の上端部（１０）の近傍の外周側にラセン状の雄ネジ（３５）を有するラセンパイプ（３６）が回動自在に装着される。
【００２９】
このラセンパイプ（３６）に対し軸方向に移動自在にかつ内周部にラセン状の雌ネジを有しナット状に形成されるラセン雌ネジ（３８）が軸方向に移動自在に外嵌装着される。
【００３０】
そして内パイプ（１）の上端部（１０）から下方に向けて適宜に長さ延設されるラセン状の雄ネジ（３５）を回動させる場合に把持されるように下方端部近傍に把持部（５０）が形成される。
【００３１】
また把持部（５０）が下方へ移動するのを阻止するように止め輪（５１）が内パイプ（１）に固着される。
【００３２】
さらにラセン雌ネジ（３８）に有するピン孔とリンク（３３）に有するピン孔に夫々挿入されるリンクピン（３９ａ）、（３９ｂ）により連結される
【００３３】
そして二股状に形成される支持腕（３０）の股間を通るように配置されるリンク（３３ａ）、（３３ｂａ）の他端部に有するピン孔とリンク（３３ａ）、（３３ｂａ）に有するピン孔に夫々挿入されるリンクピン（３９ａ）、（３９ｂ）によりラセンナット状のラセン雌ネジ（３８）が連結される。これにより開口部（３７）を開閉するため把持部（５０）を回動する場合にラセン雌ネジ（３８）の自転（連れ回り）は阻止されラセン雌ネジ（３８）は、把持部（５０）の回動方向と回動量に従って移動する。
【００３４】
図４にみられるように、果樹の枝（B）が受け部（３）と直接接触することにより損傷するのを防ぐため枝（B）を取り巻くように保護材（Pｔ）が装着されており枝（B）の損傷を予防される。
【００３５】
図５に示すものは、受け部（３）に比較的小さな枝（B）が捕捉收縛された状態において、各部材の動きに伴う構成部材の位置関係を表すものである。
【００３６】
図６にみられるものは、補助支柱（P）が撤収され、本来の果樹園にみられる肥培管理空間（４３）が形成された状態を示している。
【００３７】
図７にみられるものは、従来の果樹棚に用いられていた固定式の側柱（６４）（図１参照）によって構成される支柱を、本実施例の補助支柱（P）に、果樹棚の構成部材である幹線（６０）あるいはX軸支線（６２）およびY軸支線（６３）などの交点（Cｓ）および図示しない横架されたパイプなどを支持させた実施例図である。
【００３８】
「補助支柱（P）の作用」
図１にみられるように、中柱（６）の頂部に一端を固定される峰線（６０）の他端部に連結支持されるX軸線（６２）とY軸線（６３）の交点は夫々中柱（６）の頂部側に牽引される峰線によって果樹（ｆｔ）および枝（B）は地表面（４０）から１．５〜２．０メートルの空中で果実（F）が実るように、通常栽培されている。そしてこの果実（F）は台風シーズンを迎える時期と収穫時期が粗重なるため、台風などの強風に果樹（ｆｔ）および枝（B）が煽られ果実（F）も上下動して落下し果実（F）の商品価値が著しく低下する。このような被害を防ぐ補助支柱（P）の設置作業について図面を参照しながら説明する。
【００３９】
図１にみられるように、台風などの強風に煽られて果実（F）の落果が懸念される果実（Fｄ）が実った枝（B）の近傍に補助支柱（P）の上端部を位置させ、外パイプ（２）の下端部（２１）に備えるラセン杭（４）を後述するレバー（５６）を回動させて地中（４１）にねじ込むことにより外パイプ（２）の上下動を防ぐと共に補助支柱（P）を所望の位置に容易に、かつ迅速に自立させることができる。
【００４０】
図２（ａ）にみられるように外パイプ（２）の上端部（２０）に配設する保持部（５）を拡大して示す図２（ｂ）および図２（ｃ）にみられるレバー（５６）を、切り欠き（５８）の間が開く方向、すなわち保持部（５）が非保持状態になるように回動して、内パイプ（１）および外パイプ（２）の略軸心（C）を中心にして、周方向に向く回動と軸方向への移動を自在にし、補助支柱（P）の軸方向への寸法を任意に調節することができる。
【００４１】
図３にみられるものは、受け部（３）の開口部（３７）を形成する可動腕（３１ａ）、（３１ｂ）の開閉操作を行なう場合に把持して回動する把持部（５０）と一体に形成され回動するラセンパイプ（３６）に形成されるラセン雄ネジ（３５）を回動することにより、ラセン雌ネジを有し自転しないラセン状のナット、ラセン雌ネジ（３８）に発生する内パイプ（１）の上端部（１０）側に向く推力がリンク（３３）に伝達される。
この推力により可動腕（３１ａ）、（３１ｂ）を押し開き開口部（３７）が最大に開口された状態を示している。
【００４２】
図３に示す状態から開口部（３７）が閉じる方向に把持部（５０）を回動し、開口部（３７）が適宜に開口された状態で受け部（３）を、図１および図４に示すように、あらかじめ台風の影響を受けて揺り動かされ落果被害が発生すると予測される果実（Fｄ）の近傍の枝（B）に装着された保護材（ｐｔ）を捕捉するように位置させ、把持部（５０）を受け部（３）の開口部（３７）が閉じる方向に回動し、図２（ａ）および図４に見られるように枝（B）を捕捉收縛する。
【００４３】
このようにして、受け部（３）に枝（B）が確実に捕捉收縛された状態を維持しながら図２（ｂ）および図２（ｃ）にみられるレバー（５６）を切り欠き（５８）の間隔が狭まる方向に回動させるとナット（５５）と当接部（５７）が互いに引き寄せられ切り欠き（５８）の間隔が狭められ、バンド（５９）と座面（５５ａ）、（５５ｂ）とで内パイプ（１）の外周面を外パイプ（２）の上端部（２０）近傍の内周面によって締め付けられ、補助支柱Pの回動が阻止されると共に、軸方向への移動が拘束され、補助支柱Pの長さが固定される。このようにして地表面（４０）と枝（B）との距離が確実に決定されるため、枝（B）は台風などの外力によって上下に揺り動かされるのを抑止され、落果が懸念されていた果実（Fｄ）の落果被害を予防することが出来る。
【００４４】
図５にみられるものは、図３にみられる受け部（３）に捕捉收縛される枝（B）の径に比べはるかに小径の枝（B）を捕捉收縛している状態を表している。
このように本実施例によれば大小様々な枝（B）の径に対応して迅速に捕捉收縛することができる。
【００４５】
図２（ｃ）にみられるように、レバー（５６）は、レバー（５６）を回動操作する場合に、その回転軸であるボルト（５４）の軸線から略直角に周方向に長く形成されており作用半径が大きいため、レバー（５６）に加えられる比較的小さな操作力（回動力）で作業が可能なため、比較的非力な高齢者および女性でも容易に外パイプ（２）の上端部近傍に配置されるバンド（５９）により内パイプ（１）が軸方向へ移動するのを確実に阻止し、拘束力を高めることができるので、これらの農作業従事者の高齢化などによる人出不足を緩和することが出来ると伴に作業者の疲労を軽減でき作業能率も向上する。
【００４６】
さらにこのレバー（５６）は、外パイプ（２）の下端部に固着されるラセン杭（４）を地中（４１）に埋設する場合に外パイプ（２）の中心軸線（C）から、操作旋回半径が大きいため、ラセン杭（４）の埋設および抜收作業を比較的非力な高齢者および女性でも容易に行なえるため、補助支柱（P）の設置および撤収を迅速に実施することができる。
【００４７】
また図７にみられるX軸支線（６２）およびY軸支線（６３）など果樹棚を形成する構成部材（Cｓ）を、受け部（３）に支持させ果樹棚補強用支柱として利用できる。
そして設置、撤収が容易でかつ迅速に実施できるので補助支柱（P）を従来の固定用支柱として利用した場合は短期間にしかも低廉な作業費で果樹棚を建設することができる。
【００４８】
その他本発明は、上述した実施例に限定されることなく、本発明の主旨を逸脱しない範囲で構成および構成部材の変更、付加、組み換えが可能である。
【産業上の利用可能性】
【００４９】
以上に説明したように、台風が襲来すると予測される場合には、補助支柱Pを用いて果樹棚の補強を簡便にかつ迅速に施し、台風通過後には、栽培地表面（４０）と果樹棚の下とに必要とされる肥培管理空間（４３）を形成するため、補助支柱Pを容易にかつ迅速に撤去でき肥培管理空間（４３）が確保される。
このように台風被害を防ぐことが可能であって、しかも通常の肥培管理作業において補助支柱（P）が支障を及ぼさないので、果樹園の生産性を高めることができる。
【符号の説明】
【００５０】
１      内パイプ
１０    端部
２      外パイプ
２０    上端部
２１    下端部
３      受け部
３０    支持腕
３１ａ  可動腕
３１ｂ  可動腕
３２ａ  支持ピン
３２ｂ  支持ピン
３３ａ  リンク
３３ｂ  リンク
３４ａ  リンクピン
３４ｂ  リンクピン
３５    ラセン雄ネジ
３６    ラセンパイプ
３７    開口部
３８    ラセン雌ネジ
３９ａ  リンクピン    
３９ｂ  リンクピン
４      ラセン杭
４０    地表面
４１    地中
４２    アンカー
４３    肥培管理空間
５      保持部
５０    把持部
５１    留め輪
５２    ボルト
５３    ナット
５４ａ  座面
５４ｂ  座面
５５ａ  貫通孔
５５ｂ  貫通孔
５６    レバー
５７    当接部
５８    切り欠き
５９    バンド
６      中柱
６０    峰線
６１    幹線
６２    X軸支線
６３    Y軸支線
６４    側柱
P      補助支柱
Fｔ    果樹
F      果実
Fｄ    強風により落果が懸念される果実
B      枝
Pｔ    保護材
C      内外パイプの略中心軸線
Cｓ    果樹棚構成部材
【図１】
2014014342.tif 000003
【図２（ａ）】
2014014342.tif 000004
【図２（ｂ）】
2014014342.tif 000005
【図２（ｃ）】
2014014342.tif 000006
【図３】
2014014342.tif 000007
【図４】
2014014342.tif 000008
【図５】
2014014342.tif 000009
【図６】
2014014342.tif 000010
【図７】
2014014342.tif 000011
【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
内パイプ（１）と外パイプ（２）からなり、
前記内パイプ（１）と、
前記外パイプ（２）とで入れ子式に構成され、軸方向へ伸縮自在かつ軸芯を略中心とする周方向へ回動可能な補助支柱であって、
前記内パイプ（１）の上端部（１０）に配置される受け部（３）と、
前記外パイプ（２）の上端部（２０）近傍に配置される保持部（５）と、
前記外パイプ（２）の下端部（２１）に配置され、棒状鋼材をコイル状に形成されてなるラセン杭（４）とを備え、
前記受け部（３）に果樹（Fｔ）の枝（B）または果樹棚の構成部材（Cｓ）を支持することを特徴とする補助支柱。
【請求項２】
前記保持部（５）に有するレバー（５６）を介して前記外パイプ（２）を周方向へ回動することにより、前記ラセン杭（４）が、地中（４１）に入抜されることを特徴とする請求項１記載の補助支柱。
【手続補正２】
【補正対象書類名】明細書
【補正対象項目名】００１４
【補正方法】変更
【補正の内容】
【００１４】
上記（課題１）〜（課題３）を解決し、ニーズ（１）〜（３）に応えようと以下の手段を用いた。
【手続補正３】
【補正対象書類名】明細書
【補正対象項目名】００１５
【補正方法】変更
【補正の内容】
【００１５】
請求項１記載の発明は、内パイプ（１）と外パイプ（２）からなり、前記内パイプ（１）と、前記外パイプ（２）とで入れ子式に構成され、軸方向へ伸縮自在かつ軸芯を略中心とする周方向へ回動可能な補助支柱であって、前記内パイプ（１）の上端部（１０）に配置される受け部（３）と、前記外パイプ（２）の上端部（２０）近傍に配置される保持部（５）と、前記外パイプ（２）の下端部（２１）に配置され、棒状鋼材をコイル状に形成されてなるラセン杭（４）とを備え、前記受け部（３）に果樹（Fｔ）の枝（B）または果樹棚の構成部材（Cｓ）を支持することを特徴とする
【手続補正４】
【補正対象書類名】明細書
【補正対象項目名】００１６
【補正方法】変更
【補正の内容】
【００１６】
請求項２記載の発明は、保持部（５）に有するレバー（５６）を介して前記外パイプ（２）を周方向へ回動することにより、前記ラセン杭（４）が、地中（４１）に入抜されることを特徴とする。
【手続補正５】
【補正対象書類名】明細書
【補正対象項目名】００１７
【補正方法】変更
【補正の内容】
【００１７】
上記先行技術文献１および２記載の発明によれば、果樹用の棚を支える柱と柱の中間点付近の枝又は蔓に実った果実は、台風等の強風によって発生する果樹棚の浪打現象（果樹棚と果樹枝の上下動）による落果被害を受け易く、営農に大きな被害を与えている。
そこで、このような台風被害を防ぐため台風が到達する前に、上記中間点付近の枝或は蔓の浪打現象を防ぐための支柱として、簡単かつ迅速に設置できると共に、台風通過後、果樹棚補強用の支柱が不要になった場合は容易にかつ、速やかに撤去できるため、上記作業用空間が簡単に確保されるなど利便性に優れる果樹棚補強用の補助支柱（P）が提供され、果樹園の台風による落果被害を抑制され、果樹園の生産性が高まる。
【手続補正６】
【補正対象書類名】明細書
【補正対象項目名】００２４
【補正方法】変更
【補正の内容】
【００２４】
さらに図１および図２ａに示すように、外パイプ（２）の下端部（２１）に、棒状鋼材をコイル状に形成されてなるラセン杭（４）が固着される。
【手続補正７】
【補正対象書類名】明細書
【補正対象項目名】００３９
【補正方法】変更
【補正の内容】
【００３９】
図１にみられるように、台風などの強風に煽られて果実（F）の落果が懸念される果実
（Fｄ）が実った枝（B）の近傍に補助支柱（P）の上端部を位置させ、外パイプ（２）の
下端部（２１）に備えるラセン杭（４）を後述するレバー（５６）を介して外パイプ（２）を回動させて、図１及び図２に示すように棒状鋼材をコイル状に加工して形成されるラセン杭（４）の先端は鋭利に形成されており、地中（４１）に対して掘進性に優れ、かつ地中（４１）との係合力が大きいラセン杭（４）を地中（４１）にねじ込むことにより外パイプ（２）および内パイプ（１）の上下動をより確実に防ぐと共に補助支柱（P）を果樹園管理者が所望される位置に容易に、かつ迅速に自立させることができる。
【手続補正８】
【補正対象書類名】明細書
【補正対象項目名】００４６
【補正方法】変更
【補正の内容】
【００４６】
さらに、このレバー（５６）によって外パイプ（２）の下端部に固着されるラセン杭（４）を地中（４１）にねじ込み埋設する場合に、図２および図２（ｃ）に仮想線で示す向きに外パイプ（２）の略中心（ｃ）を中心にして回動操作する場合に、外パイプ（２）により大きなモーメントを与えるように旋回半径を大きくするため長大に形成されるレバー（５６）によれば、ラセン杭（４）のねじ込み埋設作業および抜收作業を比較的非力な高齢者および女性でも容易に行なえるため、補助支柱（Ｐ）の設置および撤収作業を迅速に実施することができる。
【手続補正９】
【補正対象書類名】明細書
【補正対象項目名】００４９
【補正方法】変更
【補正の内容】
【００４９】
以上に説明したように、台風が襲来すると予測される場合には、補助支柱Pを用いて果
樹棚の補強を簡便にかつ迅速に施し、台風通過後には、栽培地表面（４０）と果樹棚の下
とに必要とされる肥培管理空間（４３）を形成するため、補助支柱（P）を容易にかつ迅速に撤去でき肥培管理空間（４３）が確保される。
このように台風被害を防ぐことが可能であって、しかも通常の肥培管理作業において補
助支柱（P）が支障を及ぼさないので、果樹園の生産性を高めることができる。
【手続補正１０】
【補正対象書類名】図面
【補正対象項目名】図２（ａ）
【補正方法】変更
【補正の内容】
【図２（ａ）】
2014014342.tif 000012
【手続補正１１】
【補正対象書類名】図面
【補正対象項目名】図２（ｃ）
【補正方法】変更
【補正の内容】
【図２（ｃ）】
2014014342.tif 000013